(57)【特許請求の範囲】
【請求項１】
電池パックを収容する収容部を備えた電子機器における前記電池パックの収容構造であって、
前記電池パックを収容した前記収容部を覆う電池カバーを備え、
前記電池パックは、略四角形で平板状の形状であり、第１の側面に設けられた接続端子と、前記第１の側面と隣り合う第２の側面及び第３の側面に設けられた電池パック側面突起部と、下面から突出する電池パック下面突起部とを有し、
前記収容部は、前記第１の側面に対応する側面である第１の収容部側面に設けられた収容部接続端子と、前記第２の側面に対応する側面である第２の収容部側面と前記第３の側面に対応する側面である第３の収容部側面とに設けられた、前記電池パック側面突起部と係合可能な収容部側面突起部と、前記電池パックの下面に対応する底面に形成された、前記電池パック下面突起部と嵌合可能な収容部底面溝部と、を有し、
前記電池カバーは、前記第２の収容部側面に対応する縁部の下面と、前記第３の収容部側面に対応する縁部の下面とに設けられたカバー下面突起部を有し、
前記電池パック下面突起部と前記収容部底面溝部との嵌合によって、前記電池パックの接続端子と前記収容部の接続端子との相対的な位置が規定され、前記相対的な位置は、前記電池パックの接続端子と前記収容部の接続端子とを接続する端子接続方向の位置であり、
前記電池パック側面突起部と、前記収容部側面突起部と、前記カバー下面突起部との係合によって、前記電池パックの前記端子接続方向の動き、及び前記電池パックの下面から上面に向かう方向の動きが規制され、
前記電池パック下面突起部と前記収容部底面溝部との嵌合によって、前記収容部の底面に沿い、かつ前記電池パック接続端子の接続方向と直角な方向の動きが規制される、電池パックの収容構造。
【請求項２】
前記電池パック側面突起部と、前記収容部側面突起部と、前記カバー下面突起部とは、それぞれ、前記第２の側面と前記第３の側面の２つの側面、前記第２の収容部側面と前記第３の収容部側面の２つの側面、前記第２の収容部側面に対応する縁部の下面と前記第３の収容部側面に対応する縁部の下面の２つの縁部の下面に少なくとも１つずつ設けられている、請求項１に記載の電池パックの収容構造。
【請求項３】
前記電池パック下面突起部は、断面形状が四角形、三角形、半円形のいずれかの形状である、請求項１または２に記載の電池パックの収容構造。
【請求項４】
電池パックを収容する収容部を備えた電子機器であって、
前記電池パックを収容した前記収容部を覆う電池カバーを備え、
前記電池パックは、略四角形で平板状の形状であり、第１の側面に設けられた接続端子と、前記第１の側面と隣り合う第２の側面及び第３の側面に設けられた電池パック側面突起部と、下面から突出する電池パック下面突起部とを有し、
前記収容部は、前記第１の側面に対応する側面である第１の収容部側面に設けられた収容部接続端子と、前記第２の側面に対応する側面である第２の収容部側面と前記第３の側面に対応する側面である第３の収容部側面とに設けられた、前記電池パック側面突起部と係合可能な収容部側面突起部と、前記電池パックの下面に対応する底面に形成された、前記電池パック下面突起部と嵌合可能な収容部底面溝部と、を有し、
前記電池カバーは、前記第２の収容部側面に対応する縁部の下面と、前記第３の収容部側面に対応する縁部の下面とに設けられたカバー下面突起部を有し、
前記電池パック下面突起部と前記収容部底面溝部との嵌合によって、前記電池パックの接続端子と前記収容部の接続端子との相対的な位置が規定され、前記相対的な位置は、前記電池パックの接続端子と前記収容部の接続端子とを接続する端子接続方向の位置であり、
前記電池パック側面突起部と、前記収容部側面突起部と、前記カバー下面突起部との係合によって、前記電池パックの前記端子接続方向の動き、及び前記電池パックの下面から上面に向かう方向の動きが規制され、
前記電池パック下面突起部と前記収容部底面溝部との嵌合によって、前記収容部の底面に沿い、かつ前記電池パック接続端子の接続方向と直角な方向の動きが規制される、電子機器。
【請求項５】
前記電池パック側面突起部と、前記収容部側面突起部と、前記カバー下面突起部とは、それぞれ、前記第２の側面と前記第３の側面の２つの側面、前記第２の収容部側面と前記第３の収容部側面の２つの側面、前記第２の収容部側面に対応する縁部の下面と前記第３の収容部側面に対応する縁部の下面の２つの縁部の下面に少なくとも１つずつ設けられている、請求項４に記載の電子機器。
【請求項６】
前記電池パック下面突起部は、断面形状が四角形、三角形、半円形のいずれかの形状である、請求項４または５に記載の電子機器。
【発明の詳細な説明】
【技術分野】
【０００１】
本発明は、電池パックの収容構造、および電子機器に関する。
【背景技術】
【０００２】
電子機器は、動作するために必要な電力を確保するために収容部に電池パックを収容している。
【０００３】
特許文献１は、装置の大型化、重量の増加を抑えて、電池パックを正しく装着できる電子機器を開示している。
【先行技術文献】
【特許文献】
【０００４】
【特許文献１】特開２００９−１６３２９２号公報
【発明の概要】
【発明が解決しようとする課題】
【０００５】
電子機器、及び電池パックが大型になると、その寸法公差も大きくなるため、電子機器の電池パックの収容部と電池パックとの間に、寸法公差に応じた隙間が生じる。図１２は、関連技術による電池パック１０’の構造を示す図であり、図１３は、電子機器の収容部１１０’に電池パック１０’を収容した状態を示す断面図である。図１２、図１３には、説明を理解し易くするために、電池パック１０’において電気的接続のための複数の接続端子が設けられた側面に直交する方向をｘ方向，ｘ方向に直角な方向をｙ方向，ｘ方向及びｙ方向に直角な方向をｚ方向として示している。
【０００６】
図１２において、電池パック１０’の側面に設けられた複数の接続端子と共に電池パック端子位置決め部１５’が設けられている。電子機器の収容部１１０’には、電池パック１０’の複数の接続端子と接続される複数の接続端子が設けられると共に電池パック端子位置決め部１５’に対応する位置に収容部端子位置決め部１１５’が設けられている。なお、図１２では、理解し易くするために、電池パック１０’側についてはその下面側を上に向けて示している。
【０００７】
図１３において、電池パック１０’のｙ方向の長さをA’とし、その寸法公差を±B’とする。また、収容部１１０’のｙ方向の長さをC’とし、その寸法公差を±D’とする。関連技術では、電池パック１０’は、電池パック１０’のｙ方向の寸法そのもの（外形幅）を位置決めに利用し、収容部１１０’に収容する。この場合、図１３に示すように、最大で、(C’+D’)-(A’-B’)の寸法差に起因する隙間が生じる。ここで、電池パック１０’が大きくなると（寸法A’とC’が大きくなると）、それに比例して寸法公差B’とD’も大きくなる。したがって、収容部１１０’と電池パック１０’との間に生じる隙間は、寸法公差に比例して大きくなる。その結果、隙間を生じる寸法公差が一定の値を超えた時に、電池パック１０’側に設けられた電池パック端子位置決め部１５’と、収容部１１０’側に設けられた収容部端子位置決め部１１５’の相対的な位置がずれてしまい、電池パック１０’のｙ方向の寸法そのもの（外形幅）を位置決めに利用することができなくなる恐れがある。電池パック１０’のｙ方向の寸法そのもの（外形幅）を位置決めに利用することができないと、電池パック１０’側に設けられた電池パック端子位置決め部１５’と、収容部１１０’側に設けられた収容部端子位置決め部１１５’とが嵌合するように電池パック１０’の位置決め（位置合わせ）を行う作業が必要となる。
【０００８】
しかしながら、特許文献１は、電池パックの接続端子と収容部の接続端子との位置が相対的にずれてしまうことに関して考慮していない。
【０００９】
本発明は、このような事情を鑑みてなされたものであり、本発明の目的は、電池パックの外形幅を位置決めに使用することなく、電池パックを収容することのできる電池パックの収容構造及び電子機器を提供することにある。
【課題を解決するための手段】
【００１０】
本発明の電池パックの収容構造は、電池パックを収容する収容部を備えた電子機器における前記電池パックの収容構造であって、前記電池パックは、該電池パックの下面から突出する電池パック下面突起部を有し、前記収容部は、該収容部の底面に形成された、前記電池パック下面突起部と嵌合可能な収容部底面溝部を備え、前記電池パック下面突起部と前記収容部底面溝部との嵌合によって、前記電池パックの接続端子と前記収容部の接続端子との相対的な位置が規定され、前記相対的な位置は、前記電池パックの接続端子と前記収容部の接続端子とを接続する端子接続方向の位置である。
【００１１】
本発明の電子機器は、電池パックを収容する収容部を備えた電子機器であって、前記電池パックは、該電池パックの下面から突出する電池パック下面突起部を有し、前記収容部は、該収容部の底面に形成された、前記電池パック下面突起部と嵌合可能な溝状の収容部底面溝部を備え、前記電池パック下面突起部と前記収容部底面溝部との嵌合によって、前記電池パックの接続端子と前記収容部の接続端子との相対的な位置が規定され、前記相対的な位置は、前記電池パックの接続端子と前記収容部の接続端子とを接続する端子接続方向の位置である。
【発明の効果】
【００１２】
本発明によれば、電池パックの外形幅を位置決めに使用することなく、電池パックを収容することのできる電池パックの収容構造及び電子機器を提供することができる。
【図面の簡単な説明】
【００１３】
【図１】（ａ）は、本発明の第１実施形態に係る電池パックの上面、および３つの側面の構造を示す図である。（ｂ）は、第１実施形態に係る電池パックの下面の構造を示す図である。
【図２】第１実施形態に係る電子機器の電池パックの収容部の構造を示す斜視図である。
【図３】図２に示した電子機器に、図１に示した電池パックを収容した様子を示す図である。
【図４】（ａ）は、第１実施形態に係る電子機器の電池カバーの上面、および３つの側面の構造を示す図である。（ｂ）は、第１の実施形態に係る電池カバーの構造を示す斜視図である。
【図５】第１実施形態の電池パック側の接続端子と収容部側の接続端子の関係を示す図であり、理解し易くするために、電池パック側についてはその下面側を上に向けて示している。
【図６】図３において第１実施形態の電池パックを収容した場合の、ａ−ａ’線の断面図である。
【図７】電子機器の電池カバーを閉じた様子を示す図である。
【図８】図７のＹ−Ｙ’線による断面の一部を拡大して示した図である。
【図９】図８の変形例を示す断面図である。
【図１０】（ａ）は、本発明の第２実施形態に係る電池パックの上面、および３つの側面の構造を示す図である。（ｂ）は、第２実施形態に係る電池パックの下面の構造を示す図である。
【図１１】第２実施形態に係る電子機器の電池パックの収容部の構造を示す斜視図である。
【図１２】関連技術による電池パック側の端子と収容部側の端子の関係を示す図である。
【図１３】関連技術による電池パックを収容した電子機器の断面図である。
【発明を実施するための形態】
【００１４】
以下、図面を参照しながら、本発明の実施形態について詳細に説明する。なお、同様な内容については繰り返しの煩雑を避けるために、適宜説明を省略する。
【００１５】
［１．第１実施形態］
図１〜図４を参照して、本発明の第１実施形態に係る電池パック１０と、電子機器１００の収容部１１０と、電池カバー２００の構造について説明する。
【００１６】
図１（ａ）は、電池パック１０を上面側から見た平面図、および側面側から見た図を示し、図１（ｂ）は、電池パック１０を下面側から見た図を示している。以下、図１（ａ）において、電池パック１０の横方向をｘ方向、縦方向をｙ方向、厚み方向をｚ方向と定義する。言い換えれば、電池パック１０において電気的接続のための複数の電池パック接続端子１３が設けられた側面に直交する方向をｘ方向、ｘ方向に直角な方向をｙ方向、ｘ方向及びｙ方向に直角な方向をｚ方向と定義する。また、図１（ａ）に示した矢印の方向を＋方向と定義し、矢印と反対の方向を−方向と定義する。これは、＋ｘ方向で言えば、電池パック接続端子１３を持つ側面から離れる方向である。＋ｚ方向で言えば、電池パック１０の下面から上面に向かう方向である。
【００１７】
（１−１．電池パックの構造）
図１（ａ）、および図１（ｂ）を参照すると、電池パック１０は、４つの電池パック側面突起部１１ａ〜１１ｄと、２つの電池パック下面突起部１２ａ、１２ｂと、複数の電池パック接続端子１３と、電池パック爪部１４と、電池パック端子位置決め部１５と、を備える。電池パック接続端子１３は、後述する収容部１１０に設けられる収容部接続端子１１３を受け入れることのできる受け部で実現される。
【００１８】
電池パック側面突起部１１ａと電池パック側面突起部１１ｂは、ｘ方向に対応する２つの側面のうちの一方の側面に設けられており、＋ｙ方向に突出したＬ字形の形状を有する突起部である。
【００１９】
電池パック側面突起部１１ｃと電池パック側面突起部１１ｄは、ｘ方向に対応する２つの側面のうちの他方の側面に設けられており、−ｙ方向に突出したＬ字形の形状を有する突起部である。電池パック側面突起部１１ｃは、電池パック側面突起部１１ａとは反対側の位置に設けられており、電池パック側面突起部１１ｄは、電池パック側面突起部１１ｂとは反対側の位置に設けられている。なお、電池パック１０の側面に設けられる突起部の数や形状は、特に上記の例に限定されない。
【００２０】
電池パック下面突起部１２ａと電池パック下面突起部１２ｂは、電池パック１０の下面に−ｚ方向に突出するように設けられており、垂直方向（短手方向）の断面が四角形の突起部である。断面が四角形の突起部としては、例えば、ｘ方向を長手方向、ｙ方向を短手方向とする直方体とすることができる。また、電池パック下面突起部１２ａと電池パック下面突起部１２ｂは、ｘ方向に平行に並んで設けられている。なお、電池パック下面突起部の数や形状は、特に限定されない。例えば、電池パック下面突起部は、垂直方向の断面が三角形や半円形の突起部であってもよい。
【００２１】
各電池パック接続端子１３は、ｙ方向に対応する２つの側面のうちの一方の側面に形成された受け部に設けられた端子（ソケット）である。電池パック１０は、複数の電池パック接続端子１３を介して電子機器１００に電力を供給する。
【００２２】
電池パック爪部１４は、電池パック接続端子１３が設けられている側面と同一の側面のコーナーに近い位置に設けられている。ユーザは、電池パック爪部１４に指等を掛け、＋ｘ方向に力を加えることで、収容部接続端子１１３から電池パック接続端子１３を外して電池パック１０を電子機器１００の収容部１１０から取り出すことができる。
【００２３】
電池パック端子位置決め部１５は、電池パック接続端子１３に隣接して設けられており、凹状の受け部構造を有する位置決め部である。後述するが、電子機器１００の収容部１１０には電池パック端子位置決め部１５と対応する位置に収容部端子位置決め部を有する。この収容部端子位置決め部と、電池パック端子位置決め部１５とを嵌合することにより、電池パック接続端子１３と、電子機器１００の収容部１１０が備える収容部接続端子とを支障なく接続することができる。
【００２４】
（１−２．電子機器の収容部の構造）
次に、図２を参照して、電子機器１００の収容部１１０の構造について説明する。
【００２５】
図２を参照すると、収容部１１０は、４つの収容部側面突起部１１１ａ〜１１１ｄと、２つの収容部底面溝部１１２ａ、１１２ｂと、複数の収容部接続端子１１３と、収容部端子位置決め部１１５と、２つの固定具１１６ａ、１１６ｂと、端子保護部１１７と、を備える。
【００２６】
収容部側面突起部１１１ａと収容部側面突起部１１１ｂは、ｘ方向に対応する２つの収容部側壁（側面）のうちの一方の側壁に設けられており、壁面から−ｙ方向に突出した逆Ｌ字形の突起部である。収容部側面突起部１１１ａと収容部側面突起部１１１ｂは、電池パック１０を収容部１１０に収容した際に、それぞれ、電池パック側面突起部１１ａと電池パック側面突起部１１ｂに係合することのできる位置に設けられ、かつ互いに係合可能な構造を有している。例えば、電池パック側面突起部１１ａと収容部側面突起部１１１ａとについて言えば、図８に示されるように、収容部側面突起部１１１ａの逆Ｌ字形の立ち上がり部でできたスペースに、電池パック側面突起部１１ａのＬ字形の先端部が入り込む構造となっている。
【００２７】
収容部側面突起部１１１ｃと収容部側面突起部１１１ｄは、図示されていないが、収容部１１０のｘ方向に対応する２つの収容部側壁のうちの他方の側壁に設けられており、壁面から＋ｙ方向に突出した逆Ｌ字形の突起部である。また、収容部側面突起部１１１ｃと収容部側面突起部１１１ｄは、電池パック１０を収容部１１０に収容した際に、それぞれ、電池パック側面突起部１１ｃと電池パック側面突起部１１ｄに係合することのできる位置に設けられ、かつ互いに係合可能な構造を有している。なお、収容部１１０の側面に設けられる突起部の数は、特に限定されない。また、その形状についても特に限定されず、形状は、電池パックの側面に設けられた突起部と係合可能な形状であればよい。
【００２８】
収容部底面溝部１１２ａと収容部底面溝部１１２ｂは、収容部１１０の底面に形成された溝である。収容部底面溝部１１２ａと収容部底面溝部１１２ｂは、電池パック１０を収容部１１０に収容した際に、それぞれ、電池パック下面突起部１２ａと電池パック下面突起部１２ｂが嵌合する位置に形成され、かつ互いに嵌合可能な構造を有している。収容部底面溝部１１２ａと収容部底面溝部１１２ｂは、電池パック１０を収容部１１０に載置した時（図５参照）に、それぞれ、電池パック下面突起部１２ａと電池パック下面突起部１２ｂと嵌合し、嵌合状態を維持したまま−ｘ方向にスライドさせて、電池パック１０の接続端子と収容部１１０の接続端子とを接続された状態にした時（図３）も嵌合状態を保つように設けられている。収容部１１０の収容部底面溝部（１１２ａ，１１２ｂ）と、電池パック下面突起部（１２ａ，１２ｂ）との嵌合によって、電池パック１０と収容部１１０との相対的な位置決めを行い、電池パック１０の電池パック接続端子１３と収容部１１０の収容部接続端子１１３との位置が相対的にずれてしまうことを防止する。
【００２９】
各収容部接続端子１１３は、ｙ方向に対応する２つの収容部側壁（側面）のうちの一方の側壁に設けられた接続片（あるいはピン）から構成されており、電池パック接続端子１３と接続可能な構造を有している。
【００３０】
収容部端子位置決め部１１５は、複数の収容部接続端子１１３に隣接して設けられた突起部であり、電池パック端子位置決め部１５の凹状の受け部と嵌合可能な構造を有している。電池パック接続端子１３と収容部接続端子１１３は、収容部端子位置決め部１１５と電池パック端子位置決め部１５とを嵌合することで電池パック１０の電池パック接続端子１３と、収容部１１０の収容部接続端子１１３とを、支障なく接続することができる。
【００３１】
固定具１１６ａと固定具１１６ｂは、収容部１１０のｙ方向に対応する２つの縁のうちの一方の縁（ここでは、収容部接続端子１１３が設けられた縁と同じ縁）に沿って電子機器１００の表面上に並べて設けられた回動可能な板部材である。ここでは、各固定具は、円板の一部を切り欠くと共に上面に直径にわたるツマミを設けたものである。
【００３２】
ここで、図３を参照して、固定具１１６ａと固定具１１６ｂについて説明する。図３を参照すると、電子機器１００の収容部１１０に電池パック１０を収容した様子が示されている。図３に示すように、各固定具のツマミの方向をｙ方向と平行の向きにして円板の切り欠き部を収容部１１０に向ける。このようにすることで電子機器１００の収容部１１０に対し電池カバー２００を取り付けたり、取り外したりすることができる。また、収容部１１０に電池カバー２００を装着した状態にてツマミの方向をｘ方向と平行の向きにして円板の一部が電池カバー２００の上に位置するようにする。このようにすることで電子機器１００の収容部１１０に対し電池カバー２００を固定することができる。なお、上記の固定具１１６ａと固定具１１６ｂの形状は一例にすぎず、特に限定されない。
【００３３】
端子保護部１１７は、複数の収容部接続端子１１３の上方を覆う、ひさし状の構造を有しており、収容部１１０の開放時、収容部接続端子１１３が破損等しないように保護する。
【００３４】
（１−３．電池カバーの構造）
次に、図４を参照して、電池カバー２００の構造について説明する。
【００３５】
図４を参照すると、電池カバー２００は、４つのカバー下面突起部２１１ａ〜２１１ｄと、２つのカバー側面突起部２１２ａ、２１２ｂと、カバー側面段部２１３ａ、２１３ｂと、を備える。
【００３６】
カバー下面突起部２１１ａとカバー下面突起部２１１ｂは、ｘ方向に対応する２つの側面のうちの一方の側面の縁に沿って電池カバー２００の下面に設けられており、−ｚ方向に突出した突起部である。カバー下面突起部２１１ａは、電池パック側面突起部１１ａにｚ方向から係合することのできる構造を有し、かつ係合することのできる位置に設けられている。同様に、カバー下面突起部２１１ｂは、電池パック側面突起部１１ｂにｚ方向から係合することのできる構造を有し、かつ係合することのできる位置に設けられている。
【００３７】
カバー下面突起部２１１ｃとカバー下面突起部２１１ｄは、ｘ方向に対応する２つの側面のうちの他方の側面の縁に沿って電池カバー２００の下面に設けられており、-ｚ方向に突出した突起部である。カバー下面突起部２１１ｃは、電池パック側面突起部１１ｃにｚ方向から係合することのできる構造を有し、かつ係合することのできる位置に設けられている。同様に、カバー下面突起部２１１ｄは、電池パック側面突起部１１ｄにｚ方向から係合することのできる構造を有し、かつ係合することのできる位置に設けられている。なお、電池カバー２００の下面に設けられる突起部の数や形状は、特に限定されない。
【００３８】
カバー側面突起部２１２ａとカバー側面突起部２１２ｂは、ｙ方向に対応する２つの側面のうちの一方の側面に設けられており、ｘ方向に突出した突起部である。電池カバー２００は、カバー側面突起部２１２ａとカバー側面突起部２１２ｂとを、電子機器１００の収容部１１０におけるｙ方向に対応する側壁（側面）であって、複数の収容部接続端子１１３とは反対側の側壁（側面）に設けられた孔部（図示省略）に差し込むことで位置決めすることができる。
【００３９】
カバー側面段部２１３ａとカバー側面段部２１３ｂは、ｙ方向に対応する２つの側面のうちの他方の側面の縁に沿って電池カバー２００の側面に設けられた段部である。電池カバー２００を収容部１１０にセットした状態で固定具１１６ａ（１１６ｂ）のツマミを回動させることで円板の一部をカバー側面段部２１３ａ（２１３ｂ）上に置くことができる。こうすることにより、電池カバー２００は、カバー側面段部２１３ａとカバー側面段部２１３ｂが、それぞれ、固定具１１６ａと固定具１１６ｂとで押さえられ、電子機器１００に固定される。
【００４０】
（１−４．電池パックの収容方法）
次に、図２、図５、図６を参照して、電池パック１０を電子機器１００の収容部１１０に収容する方法について説明する。図５は、第１実施形態に係る電池パック１０の下面の構造を示す図である。図６は、図３に示した図において、第１実施形態の電池パックを収容した場合のａ−ａ’線の断面図である。なお、図５では、電池パック１０側の電池パック接続端子１３と収容部側の収容部接続端子１１３との関係を理解し易くするために、電池パック１０の下面を上に向けて示している。電池パック１０を収容部に収容する際には、電池パック１０はその下面を下側に向けて収容されることは言うまでも無い。
【００４１】
最初に、電池パック１０を、電池パック接続端子１３が収容部１１０の収容部接続端子１１３の少し手前にある状態にし、この状態で電池パック下面突起部１２ａと電池パック下面突起部１２ｂを、それぞれ、収容部底面溝部１１２ａと収容部底面溝部１１２ｂに嵌合させる。続いて、電池パック１０を−ｘ方向に押し込む。これにより、電池パック１０は、ｙ方向の動きが規制されると共に、収容部１１０中に位置決めされる。すなわち、本実施形態では、電池パック１０は、電池パック下面突起部１２ａと電池パック下面突起部１２ｂとを位置決めに使用し、収容部１１０に収容する。
【００４２】
図６を参照して、本発明の電池パック１０の位置決めの効果について具体的に説明する。電池パック下面突起部１２ａと電池パック下面突起部１２ｂとの間の寸法をA、その寸法公差を±Bとし、収容部底面溝部１１２ａと収容部底面溝部１１２ｂとの間の寸法をC、その寸法公差を±Dとする。この場合、最大で(A+B)-(C-D)の寸法差に起因する隙間が生じる。一方、関連技術では、前述したとおり、最大で(C’+D’)-(A’-B’)の寸法差に起因する隙間が生じていた。寸法公差は、その寸法の大きさに比例するため、寸法公差B,Dは寸法公差B’,D’よりも小さい。すなわち、大型の電池パック１０であっても、電池パック下面突起部（１２ａ，１２ｂ）を位置決めに利用して電池パック１０を収容部１１０に収容することで、寸法差に起因するｙ方向の隙間を小さくすることができる。その結果、電池パック端子位置決め部１５と、収容部端子位置決め部１１５の相対的な位置ずれが抑えられ、電池パック１０を収容部１１０に収容することができる。
【００４３】
次に、位置決めされた状態を保ちつつ電池パック１０を−ｘ方向に動かすことで、複数の電池パック接続端子１３と複数の収容部接続端子１１３を接続すると共に、電池パック側面突起部１１ａ〜１１ｄを、それぞれ、収容部側面突起部１１１ａ〜１１１ｄに係合させる。具体的に説明すると、電池パック側面突起部１１ａ〜１１ｄは、それぞれ、そのＬ字形状の先端部を、収容部１１０の収容部側面突起部１１１ａ〜１１１ｄにおける逆Ｌ字形状の立ち上がり部でできたスペースに滑り込ませるようにして収容部側面突起部１１１ａ〜１１１ｄと係合させる（図８参照）。
【００４４】
次に、電池カバー２００で、電池パック１０を収容した収容部１１０を覆う。電池カバー２００を取り付けるためには、まずカバー側面突起部２１２ａとカバー側面突起部２１２ｂを収容部１１０の側壁に設けられた孔部（図示省略）に差し込む。次いで、カバー側面突起部２１２ａとカバー側面突起部２１２ｂを孔部に差し込んだ状態で、電池パック１０を覆うようにすることで、カバー下面突起部２１１a〜２１１ｄが、それぞれ、電池パック側面突起部１１ａ〜１１ｄに係合する。最後に、固定具１１６ａと固定具１１６ｂのツマミの向きをｘ方向に平行にすることで、電池カバー２００を電子機器１００に取り付けることができる。図７には、電池カバー２００が取り付けられた電子機器１００が示されている。
【００４５】
続いて、収容部１１０に収容された電池パック１０を、動かないように保持する構造について説明する。
【００４６】
図８を参照して、電池パック１０のｘ方向、およびｚ方向の動きを抑える方法について説明する。図８は、図７のＹ−Ｙ’線による断面の一部を拡大した図である。
【００４７】
最初に、ｘ方向の動きを規制する方法について説明する。
【００４８】
図８を参照すると、電池パック側面突起部１１ａは、前述したように、Ｌ字形状の先端部が収容部側面突起部１１１ａにおける逆Ｌ字形状の立ち上がり部でできたスペースに入り込んでいるため、収容部側面突起部１１１ａが電池パック側面突起部１１ａの−ｘ方向の動きを規制している。また、電池パック側面突起部１１ａは、ｚ方向からカバー下面突起部２１１ａが係合しているため、ｘ方向の動きが規制されている。すなわち、電池パック側面突起部１１ａは、収容部側面突起部１１１ａとカバー下面突起部２１１ａによってｘ方向、−ｘ方向の両方向の動きが規制されている。これは、電池パック側面突起部１１ｂ〜１１ｄについても同様である。したがって、電池パック１０は、ｘ方向の動きが規制されている。
【００４９】
次に、ｚ方向の動きを規制する方法について説明する。
【００５０】
電池パック側面突起部１１ａは、前述したように、Ｌ字形状の先端部が収容部側面突起部１１１ａにおける逆Ｌ字形状の立ち上がり部でできたスペースに入り込んでいるため、収容部側面突起部１１１ａは、電池パック側面突起部１１ａのｚ方向の動きを規制している。このことは、電池パック側面突起部１１ｂ〜１１ｄについても同様である。したがって、電池パック１０は、ｚ方向の動きが規制されている。
【００５１】
上記の状態において、ｙ方向の動きは、収容部１１０の収容部底面溝部（１１２ａ，１１２ｂ）と、電池パック下面突起部（１２ａ，１２ｂ）との嵌合によって規制されている。
【００５２】
したがって、電池パック１０は、ｘ方向、ｙ方向、およびｚ方向の動きが規制されているため、衝撃等によって電池パック１０が収容部１１０内で動いてしまうことがなく、電池パック接続端子１３や収容部接続端子１１３が破損してしまうことを防止することができる。なお、関連技術では、クッション等の保護部材を利用して収容部内での電池パックの動きを規制することが行われている。しかしながら、保護部材は、時間が経つにつれて保持力が低下してしまうため、長期間にわたって使用すると電池パックに設けられた複数の接続端子と収容部に設けられた複数の接続端子の接続が切断する恐れがあった。一方、本実施形態は、電池パック１０と収容部１１０に設けた各突起部を係合することで電池パック１０のｘ方向、ｙ方向、およびｚ方向の動きを規制している。したがって、本発明には、関連技術が利用しているような保護部材は不要となる。電池パック１０と収容部１１０に設けた各突起部は、保護部材のように時間が経つにつれて保持力が低下してしまうことがないため、本発明は長期間にわたって使用可能となりコストの観点からも優れている。
【００５３】
なお、収容部１１０の側面に設けられた突起部の形状は、特に限定されず、例えば図９に示すような構造であってもよい。図９に示す収容部側面突起部１１１ａ’は、収容部側面突起部１１１ａの変形例である。図９に示されているように、収容部側面突起部１１１ａ’のように平坦型の突起部であっても、電池パック側面突起部１１ａの−ｘ方向の動きを規制することができる。この場合、電池パック側面突起部１１ａのｚ方向の動きは、カバー下面突起部２１１ａに隣接する電池カバー２００の一部によって規制される。図示しない収容部側面突起部１１１ｂ’〜１１１ｄ’についても同様である。
【００５４】
［２．第２実施形態］
次に、図１０、および図１１を参照して、本発明の第２実施形態による電池パック２０と電子機器３００の収容部３１０の構造について説明する。
【００５５】
図１０（ａ）は、電池パック２０の上面、および３つの側面の構造を示す図である。図１０（ｂ）は、電池パック２０の下面の構造を示す図である。
【００５６】
図１０（ａ）と図１０（ｂ）を参照すると、電池パック２０は、下面に電池パック下面突起部１２ｃのみが設けられている。図１１を参照すると、収容部３１０は、底面に収容部底面溝部１１２ｃのみが形成されている。
【００５７】
本発明のように、電池パック下面突起部１２ｃを位置決めに使用し、電池パック２０を収容部３１０に収容することでも電池パック接続端子１３と収容部接続端子１１３の相対的な位置ずれを防止することができる。具体的に説明すると、例えば、電池パック下面突起部１２ｃのｙ方向の寸法をE、その寸法公差を±Fとし、収容部底面溝部１１２ｃのｙ方向の寸法をG、その寸法公差を±Hとする。この場合、電池パック２０には、ｙ方向において最大で(G+H)-(E-F)の寸法差に起因する隙間が生じる。一方、関連技術で生じる寸法差に起因する最大の隙間は、前述したとおり、最大で(C’+D’)-(A’-B’)である。すなわち、電池パック２０であっても、寸法公差は関連技術に比べて小さいため、電池パック下面突起部１２ｃを位置決めに使用して電池パック２０を収容部３１０に収容することで、電池パック２０の電池パック接続端子１３と収容部３１０の収容部接続端子１１３との位置が相対的にずれてしまうことを防止することができる。
【符号の説明】
【００５８】
１０・・・電池パック
１０’・・・電池パック
１１ａ、１１ｂ、１１ｃ、１１ｄ・・・電池パック側面突起部
１２ａ、１２ｂ、１２ｃ・・・電池パック下面突起部
１３・・・電池パック接続端子
１４・・・電池パック爪部
１５・・・電池パック端子位置決め部
１５’・・・電池パック端子位置決め部
２０・・・電池パック
１００・・・電子機器
１１０・・・収容部
１１０’・・・収容部
１１１ａ、１１１ｂ、１１１ｃ、１１１ｄ・・・収容部側面突起部
１１１ａ’・・・収容部側面突起部
１１２ａ、１１２ｂ、１１２ｃ・・・収容部底面溝部
１１３・・・収容部接続端子
１１５・・・収容部端子位置決め部
１１５’・・・収容部端子位置決め部
１１６ａ、１１６ｂ・・・固定具
１１７・・・端子保護部
２００・・・電池カバー
２１１ａ、２１１ｂ、２１１ｃ、２１１ｄ・・・カバー下面突起部
２１２ａ、２１２ｂ・・・カバー側面突起部
２１３ａ、２１３ｂ・・・カバー側面段部
３００・・・電子機器
３１０・・・収容部
【要約】
【課題】電池パックの外形幅を位置決めに使用することなく、電池パックを収容することのできる電池パックの収容構造及び電子機器を提供する。
【解決手段】本発明の電池パックの収容構造は、電池パックを収容する収容部を備えた電子機器における前記電池パックの収容構造であって、前記電池パックは、該電池パックの下面から突出する電池パック下面突起部を有し、前記収容部は、該収容部の底面に形成された、前記電池パック下面突起部と嵌合可能な収容部底面溝部を備え、前記電池パック下面突起部と前記収容部底面溝部との嵌合によって、前記電池パックの接続端子と前記収容部の接続端子との相対的な位置が規定され、前記相対的な位置は、前記電池パックの接続端子と前記収容部の接続端子とを接続する端子接続方向の位置である。
【選択図】図１【図１】
0005892630.tif 000002
【図２】
0005892630.tif 000003
【図３】
0005892630.tif 000004
【図４】
0005892630.tif 000005
【図５】
0005892630.tif 000006
【図６】
0005892630.tif 000007
【図７】
0005892630.tif 000008
【図８】
0005892630.tif 000009
【図９】
0005892630.tif 000010
【図１０】
0005892630.tif 000011
【図１１】
0005892630.tif 000012
【図１２】
0005892630.tif 000013
【図１３】
0005892630.tif 000014